(57)【要約】【課題】  記録・再生操作や編集作業における、ユーザの操作性を大幅に向上させることのできる記録再生装置を提供すること。【解決手段】  カーソルが表示画面に表示されているサムネイル画像のいずれかを選択している場合は再生モードとし、該カーソルが選択しているサムネイル画像に対応する映像データを表示画面に再生表示する。一方、カーソルがサムネイル画像非表示領域を選択している場合は記録モードとし、外部からの入力映像データを表示画面に表示するとともに、該入力映像データを記録媒体に記録するようにした。このとき、記録動作開始前のカーソル位置が、新規に記録する映像データのサムネイル表示位置となるよう、プレイリストを自動的に更新するようにした。  【選択図】  図９
2006180411.tif 000002
【特許請求の範囲】
【請求項１】
映像データを入力する映像入力部と、
上記映像データを記録媒体に記録する記録部と、
表示画面内の、映像データを表示している画像表示領域、あるいは該画像表示領域以外の領域を選択する選択部と、
上記記録媒体に記録されている映像データを再生表示する再生部と、
上記選択部により選択された領域に応じて記録モードと再生モードとを切り替える記録再生制御部と、
再生動作、あるいは記録動作の実行を指示する指示部と、を備えた、
ことを特徴とする記録再生装置。
【請求項２】
請求項１に記載の記録再生装置において、
上記記録再生制御部は、上記選択部により上記画像表示領域が選択された場合、再生モードに切り替え、上記選択部により上記画像表示領域以外の領域が選択された場合、記録モードに切り替える、
ことを特徴とする記録再生装置。
【請求項３】
請求項１に記載の記録再生装置において、
上記再生部は、再生モードにおいては、上記記録媒体に記録されている映像データを再生表示し、記録モードにおいては、上記映像入力部に入力された映像データを表示する、
ことを特徴とする記録再生装置。
【請求項４】
請求項１に記載の記録再生装置において、
上記記録媒体に記録されている映像データの再生順序を示すプレイリストを有し、
上記再生部は、上記プレイリストが指定する再生順序に従って再生表示を行う、
ことを特徴とする記録再生装置。
【請求項５】
請求項１に記載の記録再生装置において、
上記再生部は、上記記録媒体内の各映像データの代表画像を用いたサムネイル画像を上記表示画面に表示する、
ことを特徴とする記録再生装置。
【請求項６】
請求項５に記載の記録再生装置において、
上記選択部は、上記表示画面に表示される複数のサムネイル画像のいずれか一つを選択するものであり、
上記再生部は、上記選択部により選択されたサムネイル画像に対応する映像データを再生表示する、
ことを特徴とする記録再生装置。
【請求項７】
請求項５に記載の記録再生装置において、
上記再生部は、上記選択部により上記表示画面に表示されているサムネイル画像表示領域以外の領域が選択され、かつ上記指示部により記録動作を実行するよう指示された場合、上記表示画面に表示しているサムネイル画像を消去または透過表示し、上記記録媒体に記録する映像データの表示を行う、
ことを特徴とする記録再生装置。
【請求項８】
請求項５に記載の記録再生装置において、
上記記録媒体に記録されている映像データの再生順序を示すプレイリストを有する、
ことを特徴とする記録再生装置。
【請求項９】
請求項８に記載の記録再生装置において、
上記プレイリストは、
上記表示画面のサムネイル画像表示領域以外の領域のうち、上記選択部により選択された位置を、上記記録媒体に記録する映像データのサムネイル表示位置として登録する、
ことを特徴とする記録再生装置。
【請求項１０】
請求項１に記載の記録再生装置において、
上記映像データは、動画もしくは静止画である、
ことを特徴とする記録再生装置。
【請求項１１】
請求項１に記載の記録再生装置において、
上記映像データは、ＭＰＥＧ圧縮もしくはＪＰＥＧ圧縮されたストリームである、
ことを特徴とする記録再生装置。
【請求項１２】
映像を撮影する映像撮影部と、
上記撮影された映像を記録媒体に記録する記録部と、
表示画面内の、画像を表示している画像表示領域、あるいは該画像表示領域以外の領域を選択する選択部と、
上記記録媒体に記録されている映像を再生表示する再生部と、
上記選択部により選択された領域に応じて記録モードと再生モードとを切り替える記録再生制御部と、
再生動作、あるいは記録動作の実行を指示する指示部と、を備えた、
ことを特徴とするデジタルカメラ。
【発明の詳細な説明】
【技術分野】
【０００１】
本発明は、映像データの記録再生装置に関し、特に、映像データを記録する際のユーザインターフェース及びその処理方法に関する。
【背景技術】
【０００２】
近年、符号化された映像や音声などのデータを、光ディスク等の記録媒体に記録するビデオカメラが提案されている。こうしたビデオカメラは、動画だけでなく、静止画の記録も可能であり、液晶ディスプレイ等に、撮影画像と記録媒体に記録されている画像とを表示するものである。
【０００３】
一般的に、ビデオカメラは、２つの動作モードを有し、記録媒体に記録する、カメラで撮影した画像を液晶ディスプレイ等に表示する状態を記録モードといい、記録媒体に記録されている画像データを液晶ディスプレイ等に再生表示する状態を再生モードという。これらの２つの動作モードは、ユーザがリモコン等を操作することで、切り替えられる。また、上記２つの動作モード以外に、記録媒体に記録されている映像データの再生順序を編集する編集モードを有するものもある。
【０００４】
上記ビデオカメラを用いて所望の画像の記録動作、あるいは記録済みの画像の再生動作を行う場合、前述したように記録モードと再生モードとをユーザ操作により切り替え、その後、記録動作あるいは再生動作の実行が可能となる。しかし、動作モードの切り替え操作は、ユーザにとっては大変面倒なものであり、操作も複雑なものである。さらに、各モードの切り替え操作に要する時間も生じるため、早く記録を開始したい場合その待ち時間等も生じることになる。
【０００５】
また、編集モードにおいて映像データの再生順序を編集する際も、記録媒体に記録されている画像を表示画面に一度再生表示してから、ユーザ操作により並び変えるという方法が一般的であるが、その操作は複雑で、再生順序の編集処理も時間のかかる作業である。
【０００６】
こうした問題を解決するため、図１０に示すように従来の技術では撮影用プレビュー画像と閲覧用サムネイル画像を同一画面内に表示し、撮影上の視覚性及び操作性を向上させるデジタルカメラが提案されている（例えば、特許文献１参照）。
【０００７】
図１０において、表示画面１２００は、デジタルカメラのＬＣＤなどの表示画面であり、その中央部分に大きなウインドウのメイン画像表示部１２０１を有し、その周辺部分には、複数の小ウインドウ１２０２〜１２１３を有する。上記メイン画像表示部１２０１は、主に撮影用のプレビュー画像を表示するものであり、上記小ウインドウ１２０２〜１２１３は、撮影済みの閲覧用サムネイル画像表示を順に表示するものである。この場合の閲覧用サムネイル画像表示の初期位置を例えば、小ウインドウ１２０２と設定しておく。
【０００８】
また、上記表示画面１２００の両端の下方に表示される矢印１２１４、１２１５は、上記小ウインドウ１２０２〜１２１３のいずれかを選択可能なもので、閲覧画像をより以前のもの、または、より最近のものに切り替えるための指標である。
【０００９】
このように、撮影用のプレビュー画像と撮影済み画像のサムネイル画像との複合画像を同一画面内に表示するようにしているため、撮影上の視覚性及び操作性を大幅に向上させることが可能となる。しかしながら、撮影済み画像のサムネイル画像は、撮影順に画面表示されるため、ユーザが任意の再生順序に編集することができない。
【００１０】
そこで、再生順序を編集する方法として、記録動作の開始前に、記録するデータの再生位置を予めプレイリストメニューを用いて選択してから、記録を開始する方法が提案されている（例えば、特許文献２参照）。以下に、従来の再生順序の編集方法を図１１を用いて説明する。
【００１１】
ビデオカメラなどの液晶ディスプレイ部１３００に、図１１に示すようなプレイリストメニューを表示させる。図１１に示すプレイリストメニューには、４つのプレイリストファイル１３０１〜１３０４が表示されている。これらのプレイリストファイル１３０１〜１３０４は、既に記録媒体中に記録されている映像データのタイトル、更新日時及び再生時間を示している。
【００１２】
ユーザは、撮影をする前に、リモコン等のプレイリスト表示ボタンを操作して、図１１に示すプレイリストメニューを、液晶ディスプレイ１３００に表示させて、このプレイリストメニューの中から所望のプレイリストを選択する。そして、画像データの撮影終了時に、上記選択したプレイリストファイルに、該撮影したデータの再生指示情報を追加する。
【００１３】
このように撮影前の簡単な操作で、再生順序を容易に編集することが可能となる。
【特許文献１】特開平１０−２４３２７３号公報
【特許文献２】特開２００２−３５４４２６号公報
【発明の開示】
【発明が解決しようとする課題】
【００１４】
上記従来の記録再生装置では、撮影用プレビュー画像と閲覧用サムネイル画像を同一画面内に表示することで、撮影上の視覚性及び操作性を向上させているが、ユーザが任意の再生順序に編集することができなかった。
【００１５】
また、従来の再生順序の編集方法では、撮影前に選択したプレイリストファイルに、撮影したデータの再生順序情報を追加登録することで、ユーザが所望の再生順序を編集することができるものであるが、記録モード・再生モードの切り替え以外にプレイリストメニューを表示させて再生順序を編集する編集モードが追加されるため、操作がより煩雑となる上、撮影間にプレイリストメニューをわざわざ表示させて所望のプレイリストの選択操作をしなければならず、大変面倒である。
【００１６】
本発明は、上記問題点を解消するためになされたものであり、記録・再生操作や編集作業における、ユーザの操作性を大幅に向上させることのできる記録再生装置を提供することを目的とする。
【課題を解決するための手段】
【００１７】
上記課題を解決するために、本発明の請求項１にかかる記録再生装置は、映像データを入力する映像入力部と、上記映像データを記録媒体に記録する記録部と、表示画面内の、映像データを表示している画像表示領域、あるいは該画像表示領域以外の領域を選択する選択部と、上記記録媒体に記録されている映像データを再生表示する再生部と、上記選択部により選択された領域に応じて記録モードと再生モードとを切り替える記録再生制御部と、再生動作、あるいは記録動作の実行を指示する指示部と、を備えた、ことを特徴とする。
これにより、表示画面の画像表示領域、あるいはそれ以外の領域をカーソル等を用いて選択するだけで、記録モードと再生モードの切り替えを自動的に行うことができ、ユーザの操作性を向上させることができる。
【００１８】
また、本発明の請求項２にかかる記録再生装置は、請求項１に記載の記録再生装置において、上記記録再生制御部は、上記選択部により上記画像表示領域が選択された場合、再生モードに切り替え、上記選択部により上記画像表示領域以外の領域が選択された場合、記録モードに切り替える、ことを特徴とする。
これにより、簡単な操作で、記録モードと再生モードとを切り替えることができる。
【００１９】
また、本発明の請求項３にかかる記録再生装置は、請求項１に記載の記録再生装置において、上記再生部は、再生モードにおいては、上記記録媒体に記録されている映像データを再生表示し、記録モードにおいては、上記映像入力部に入力された映像データを表示する、ことを特徴とする。
これにより、簡単な操作で、表示画面を切り替えることができる。
【００２０】
また、本発明の請求項４にかかる記録再生装置は、請求項１に記載の記録再生装置において、上記記録媒体に記録されている映像データの再生順序を示すプレイリストを有し、上記再生部は、上記プレイリストが指定する再生順序に従って再生表示を行う、ことを特徴とする。
これにより、記録媒体への記録順序とは異なるプレイリストが示す再生順序に従って、記録媒体に記録されている映像データを表示させることができる。
【００２１】
また、本発明の請求項５にかかる記録再生装置は、請求項１に記載の記録再生装置において、上記再生部は、上記記録媒体内の各映像データの代表画像を用いたサムネイル画像を上記表示画面に表示する、ことを特徴とする。
これにより、記録媒体に記録されている複数の映像データを表示画面に表示させることができ、ユーザは記録媒体中にどのような映像データが記録されてるのかを簡単に確認することができる。
【００２２】
また、本発明の請求項６にかかる記録再生装置は、請求項５に記載の記録再生装置において、上記選択部は、上記表示画面に表示される複数のサムネイル画像のいずれか一つを選択するものであり、上記再生部は、上記選択部により選択されたサムネイル画像に対応する映像データを再生表示する、ことを特徴とする。
これにより、ユーザが所望のサムネイル画像に対応する映像データを表示画面に表示させることができる。
【００２３】
また、本発明の請求項７にかかる記録再生装置は、請求項５に記載の記録再生装置において、上記再生部は、上記選択部により上記表示画面に表示されているサムネイル画像表示領域以外の領域が選択され、かつ上記指示部により記録動作を実行するよう指示された場合、上記表示画面に表示しているサムネイル画像を消去または透過表示し、上記記録媒体に記録する入力映像データの表示を行う、ことを特徴とする。
これにより、記録する映像データを表示画面に表示させて確認することができる。
【００２４】
また、本発明の請求項８にかかる記録再生装置は、請求項５に記載の記録再生装置において、上記記録媒体に記録されている映像データの再生順序を示すプレイリストを有する、ことを特徴とする。
これにより、記録媒体への記録順序とは異なるプレイリストが示す再生順序に従って、記録媒体に記録されている映像データを表示させることができる。
【００２５】
また、本発明の請求項９にかかる記録再生装置は、請求項８に記載の記録再生装置において、上記プレイリストは、上記表示画面のサムネイル画像表示領域以外の領域のうち、上記選択部により選択された位置を、上記記録媒体に記録する入力映像データのサムネイル表示位置として登録する、ことを特徴とする。
これにより、プレイリストに登録されている情報を自動的に編集することができる。
【００２６】
また、本発明の請求項１０にかかる記録再生装置は、請求項１に記載の記録再生装置において、上記映像データは、動画もしくは静止画である、ことを特徴とする。
【００２７】
また、本発明の請求項１１にかかる記録再生装置は、請求項１に記載の記録再生装置において、上記映像データは、ＭＰＥＧ圧縮もしくはＪＰＥＧ圧縮されたストリームである、ことを特徴とする。
【００２８】
また、本発明の請求項１２にかかるデジタルカメラは、映像を撮影する映像撮影部と、上記撮影された映像を記録媒体に記録する記録部と、表示画面内の、画像を表示している画像表示領域、あるいは該画像表示領域以外の領域を選択する選択部と、上記記録媒体に記録されている映像を再生表示する再生部と、上記選択部により選択された領域に応じて記録モードと再生モードとを切り替える記録再生制御部と、再生動作、あるいは記録動作の実行を指示する指示部と、を備えた、ことを特徴とする。
これにより、液晶ディスプレイ等の表示画面内の画像表示領域、あるいはそれ以外の領域をカーソル等を用いて選択するだけで、記録モードと再生モードの切り替えを自動化し、ユーザの操作性を向上させることができるデジタルカメラを実現可能である。
【発明の効果】
【００２９】
本発明の記録再生装置によれば、選択部により、表示画面内の画像表示領域を選択した場合は再生モードとし、上記画像表示領域以外の領域を選択した場合は記録モードとして動作するようにしたので、煩雑な操作を必要とせずに、再生モードと記録モードとを切り替えることができ、ユーザの操作性を大幅に向上させることができる。
【００３０】
また、本発明の記録再生装置によれば、再生モードにおいては、記録媒体内の映像データから選択した映像データを表示画面に再生表示し、記録モードにおいては、記録する映像データを表示画面に表示するようにしたので、動作モードに応じて表示画面を自動的に切り替えることができ、また、記録モード時には記録する映像データを表示画面で確認することができる。
【００３１】
また本発明の記録再生装置によれば、表示画面に表示される映像データの表示順序を再生順序として登録するプレイリストを備えているため、選択部により表示画面の画像表示領域以外の領域を選択して、撮影した映像データの記録を実行した場合、上記選択位置に上記撮影した映像データを表示するとともに、該表示順序に応じた再生順序となるようプレイリストを自動的に更新することができ、その結果、再生順序の編集作業の簡易化、及び操作性の向上を図ることができる。
【発明を実施するための最良の形態】
【００３２】
以下に、本発明の実施の形態について図面を参照しながら説明する。
【００３３】
（実施の形態１）
図１は、本発明の実施の形態１による映像データ記録再生装置の構成を示す図である。
本実施の形態１の映像データ記録再生装置は、映像入力部として映像撮影装置を具備したデジタルビデオカメラである。すなわち、当該映像データ記録再生装置は、ＭＰＥＧ方式で圧縮符号化した映像データ（ＭＰＥＧストリーム）をＤＶＤなどの記録媒体に記録する。また、記録した映像音声データを液晶ディスプレイにサムネイル表示し、そのサムネイルを選択することにより、記録媒体に記録されている映像データを液晶ディスプレイに再生表示することが可能な構成となっている。
【００３４】
本実施の形態１の映像データ記録再生装置１００は、映像入力部１０１と、制御部１０２と、選択部１０３と、指示部１０４と、再生部１０５と、バッファ１０６と、記録媒体１０７とを有している。
上記映像入力部１０１は、カメラやマイクなどを具備する映像撮影装置であり、映像データ、及び音声データを入力する。
【００３５】
上記制御部１０２は、キー制御部１０２Ａと、記録・再生制御部１０２Ｂとからなり、上記キー制御部１０２Ａは、ユーザが再生画像を選択する際に使用するキーの制御、映像撮影装置の各種設定等を行う際のキー操作の制御、を行うものであり、上記記録・再生制御部１０２Ｂは、ユーザが再生画像の決定を行う際に使用するキー制御、動画の記録開始や静止画撮影時のシャッター操作等に使用するキーの制御、を行うものである。
【００３６】
上記選択部１０３は、表示画面内の、画像を表示している画像表示領域あるいは、該画像表示領域以外の領域を選択する。本実施の形態では、表示画面に表示された現在選択されている位置（以降、カーソルという）を上下左右に移動させる十字キーとする。ユーザが記録媒体に記録されている映像データを再生したい場合、表示画面に表示されているカーソル位置を、該表示画面に表示されている複数のサムネイル画像のうちの所望のサムネイル画像の表示位置に移動させる。また、ユーザが映像入力部からの映像データを記録媒体に記録したい場合、液晶ディスプレイ上に表示されたカーソルを、該液晶ディスプレイのサムネイル表示部以外の領域に移動させる。
【００３７】
上記指示部１０４は、再生動作、あるいは記録動作の実行を指示する。本実施の形態では、上記選択部１０３によって選択したカーソル位置にある映像の再生動作を指示する決定キーや記録動作を指示するシャッターに相当するキーとする。例えば、再生モードにおいては、カーソル位置にあるサムネイル画像の再生開始を指示する決定キーとして機能し、記録モードにおいては、映像入力部１０１からの入力映像の記録を指示するシャッターキーとして機能する。なお、シャッターキーは、通常、静止画を記録したい場合に用いるものであるが、このシャッターキーを長押しすると、動画の記録開始を指示し、動画記録中に再度シャッターキーを押下すると、動画記録を停止とするものとする。なお、ここでは、再生動作を実行するための指示キーと、記録動作を実行するための指示キーとを同じキーに割り付けたが、各々を別のキーとする構成にしてもよい。
【００３８】
上記再生部１０５は、記録媒体１０７に記録されている映像データのサムネイル表示を行う。再生モード時には、選択部１０３により選択されたサムネイル画像の再生表示を行い、記録モード時には、上記映像入力部１０１からの入力映像データの表示を行う。なお、記録媒体１０７には、映像データだけでなく、該映像データの再生順序を示すプレイリストも記録されており、再生部１０５は、映像入力部１０１に入力される順序とは異なる再生順序を指定するプレイリストに従ってサムネイル表示を行う。
【００３９】
上記バッファ１０６は、データを一時的に保持するバッファであり、記録媒体１０７へ記録する映像データや、再生時に記録媒体１０７から読み出した映像データを一時的に保持する。
【００４０】
なお、上記記録媒体１０７は、本実施の形態では、ＤＶＤ−ＲＡＭなどの光メディア媒体とするが、ＨＤＤなどの記録媒体を用いた構成にしてもよい。また、記録媒体１０７に記録される順序は、映像入力部１０１に入力される順序と同じである。
【００４１】
次に、液晶ディスプレイの表示方法について説明する。
図２は、図１の再生部１０５である液晶ディスプレイの表示画面を示している。
液晶ディスプレイ２００は、９つのサムネイル表示部Ａ１〜Ａ９を有し、これらのサムネイル表示部Ａ１〜Ａ９には、記録媒体１０７に記録されている映像データが表示される。
【００４２】
液晶ディスプレイ２００の各サムネイル表示部Ａ１〜Ａ９には、例えば、図３に示すように、サムネイル画像２０１〜２０９がサムネイル表示される。なお、サムネイル表示部Ａ１のみが太枠で囲まれているが、これは現カーソル位置がサムネイル表示部Ａ１の位置にあることを示している。つまり、カーソルが、サムネイル表示部Ａ１に表示されているサムネイル画像２０１を選択していることを示す。このように、カーソル位置が液晶ディスプレイ２００のいずれかのサムネイル表示部に位置している状態を再生モードとする。
【００４３】
図３に示す状態で、指示部１０４の決定キーを押下すると、液晶ディスプレイ２００上には、サムネイル表示部Ａ１に表示されていたサムネイル画像２０２の再生画像が表示されることとなる。
【００４４】
一方、図３に示す状態で、選択部１０３の十字キーを押下、例えば、十字キーの右向き矢印キーを一回押下すると、カーソルは、図４（ａ）に示すように、サムネイル表示部Ａ１とサムネイル表示部Ａ２との間の位置Ｃ２に移動する。このように、カーソルが液晶ディスプレイ２００のサムネイル表示部以外の領域に位置している状態を記録モードとする。
【００４５】
このとき、液晶ディスプレイ２００は、図４（ｂ）に示すように、透過表示され、映像入力部１０１から入力された映像データが表示される。そのため、ユーザは記録媒体中にどのような映像データが記録されているのかを簡単に確認することができる。図４（ｂ）において、サムネイル画像２０１ａ〜２０９ａは、図４（ａ）のサムネイル画像２０１〜２０９を透過表示したものであり、点線枠Ｃ２ａは、図４（ａ）の現カーソル位置Ｃ２を透過表示したものである。
【００４６】
そして、映像入力部１０１から入力された映像データが表示されている状態で、指示部１０４のシャッターキーを押下すると、液晶ディスプレイ２００上に表示されている上記映像データが記録媒体１０７に記録される。
【００４７】
一方、図４に示す状態、つまり、カーソル位置がサムネイル表示部Ａ１とサムネイル表示部Ａ２との間にある状態で、十字キーの右向き矢印キーを一回押下すると、カーソルはサムネイル表示部Ａ２に移動する。この状態で指示部１０４の決定キーを押下すると、液晶ディスプレイ２００上には、サムネイル表示部Ａ２に表示されていたサムネイル画像２０２の再生画像が表示されることとなる。
【００４８】
次に、液晶ディスプレイに表示されるサムネイル画像と、再生順序を示すプレイリストの更新方法の一例を、図５〜図８を用いて説明する。
図５（ａ）は、液晶ディスプレイ２００に表示される、記録媒体１０７に記録されている映像データのサムネイル表示の一例を示している。
【００４９】
液晶ディスプレイ２００のサムネイル表示部Ａ１〜Ａ５には、記録媒体１０７に記録されている映像データのサムネイル画像が表示されている。ここでは、サムネイル表示部Ａ１には静止画Photo001が表示され、サムネイル表示部Ａ２には画像Mov001が表示され、サムネイル表示部Ａ３には画像Photo002が表示され、サムネイル表示部Ａ４には画像Photo003が表示され、サムネイル表示部Ａ５には画像Mov003が表示されている。
【００５０】
また、現カーソル位置は、最後のサムネイル画像Mov002の後ろの位置Ｃ３、すなわち、サムネイル表示部Ａ５とサムネイル表示部Ａ６との間にある。これは、カーソルが液晶ディスプレイ２００のサムネイル表示部以外の領域を選択しているため、動作モードが記録モードであることを示している。
【００５１】
図５（ｂ）に、図５（ａ）の状態でのプレイリストを示す。
このプレイリストは、Photo001、Mov001、Photo002、Photo003、Mov003の順に再生することを示している。なお、図において、Photoは静止画、Movは動画を表し、３桁の数字は静止画、動画各々で撮影された順に順次インクリメントして付加されたものである。
【００５２】
例えば、図５（ａ）の状態で、すなわち、カーソル位置がサムネイル表示部Ａ５とサムネイル表示部Ａ６との間にある状態で、シャッターキーが長押しされることで、映像入力部１０１からの入力映像の動画記録を開始し、再度シャッターキーが押されるまで動画記録を行った場合、動画記録の終了後の液晶ディスプレイ２００には、図６（ａ）に示すサムネイル画像が表示され、カーソル位置Ｃ４は、記録された最新の画像Mov003を表示しているサムネイル表示部Ａ６を選択している状態となる。
【００５３】
このときのプレイリストを図６（ｂ）に示す。このプレイリストは、図５（ａ）のときのカーソル位置がサムネイル表示部Ａ５とサムネイル表示部Ａ６との間に位置していたため、新規に撮影された映像データMov003の再生位置は、Mov002の再生位置の後ろに追加される。つまり、最新の動画Mov003は、動画Mov002が再生された後に再生されることになる。
【００５４】
図７（ａ）は、液晶ディスプレイ２００に表示される、記録媒体１０７に記録されている映像データのサムネイル表示の一例を示している。
液晶ディスプレイ２００は、図５（ａ）と同様、サムネイル表示部Ａ１〜Ａ５に、５つのサムネイル画像を表示しているが、カーソルは、サムネイル表示部Ａ２とサムネイル表示部Ａ３との間の位置Ｃ５を選択している。このときのプレイリストを、図７（ｂ）に示している。
【００５５】
例えば、図７（ａ）の状態で、すなわち、カーソル位置がサムネイル表示部Ａ２とサムネイル表示部Ａ３との間にある状態で、シャッターキーが長押しされることで、映像入力部１０１からの入力映像の動画記録を開始し、再度シャッターキーが押されるまで動画記録を行った場合、動画記録の終了後の液晶ディスプレイ２００には、図８（ａ）に示すサムネイル画像が表示され、カーソル位置Ｃ６は、記録された最新の画像Mov003を表示しているサムネイル表示部Ａ３を選択している状態となる。
【００５６】
このときのプレイリストを図８（ｂ）に示す。このプレイリストは、図７（ａ）のときのカーソル位置がサムネイル表示部Ａ２とサムネイル表示部Ａ３との間に位置していたため、新規に撮影された映像データMov003の再生位置は、サムネイル表示部Ａ２が表示しているMov001の再生位置と、サムネイル表示部Ａ３が表示していたPhoto002の再生位置との間に追加される。しかし、実際に記録媒体１０７に記録される順序は、このプレイリストが示す再生順序ではなく、撮影された順である。
【００５７】
以上のように、液晶ディスプレイ２００に表示されているカーソルが、サムネイル表示部を選択している場合は再生モード、サムネイル表示部以外の領域を選択している場合は記録モードとし、カーソル位置を移動させるという簡単な操作で動作モードを切り替えている。また、記録・再生制御部１０２Ｂにおいて液晶ディスプレイ２００上のカーソル位置を常時追跡し、記録モード時に、記録動作の開始前に表示されていたカーソル位置に新規撮影映像が挿入表示されるよう、プレイリストに登録されている再生順序を編集する。つまり、記録動作開始前のカーソル位置情報と再生表示位置とをリンクさせることで、プレイリストの編集作業を自動化している。
【００５８】
以上の処理について、図９を用いて説明する。図９は、本実施の形態１の映像データ記録再生装置の動作を示すフローチャートである。
映像データ記録再生装置の電源がＯＮされると、液晶ディスプレイ２００に、記録媒体１０７に記録されている映像データをサムネイル表示する（Ｓ１１００）。
【００５９】
次に、カーソルがサムネイル表示部の領域内にあるか否かを確認する（Ｓ１１０１）。
カーソル位置がサムネイル表示部の領域内にある場合、すなわち、カーソル位置が液晶ディスプレイ２００のサムネイル表示部２０１〜２０９のいずれかにある場合、映像データ記録再生装置の動作モードは再生モードであると判断する。再生モード時に決定キーが押された場合（Ｓ１１０２）は、カーソルキーで指定された映像データの再生表示を開始し（Ｓ１１０４）、再生が終了した場合（Ｓ１１０５）は、再度サムネイル表示を行う（Ｓ１１００）。また、再生モード時に決定キーが押されない場合は、選択キーによりカーソルが移動したかどうかを確認し（Ｓ１１０３）、カーソルが移動している場合は、再度サムネイル表示を行い（Ｓ１１００）、カーソルが移動していない場合は、再度決定キーが押されたかの判断を行う（Ｓ１１０２）。
【００６０】
カーソル位置がサムネイル表示部の領域内になかった場合、サムネイル表示部の領域外にあるかどうかを確認する（Ｓ１１０６）。
【００６１】
カーソル位置がサムネイル表示部の領域外にある場合、すなわち、カーソル位置が液晶ディスプレイ２００のサムネイル表示部間にある場合、映像データ記録再生装置の動作モードは記録モードであると判断し、液晶ディスプレイ２００に表示されているサムネイル画像、及びカーソルを透過表示し、映像入力部１０１である映像撮影装置による撮影映像を表示する（Ｓ１１０７）。このとき、指示キーであるシャッターキーが押されたかどうかを確認し（Ｓ１１０８）、シャッターキーが押された場合は、液晶ディスプレイ２００に表示されている映像の記録動作を開始し（Ｓ１１１０）、記録動作が終了すると（Ｓ１１１１）、再度サムネイル表示を行う（Ｓ１１００）。シャッターキーが押されていない場合は、選択キーによりカーソルが移動したかどうかを確認し（Ｓ１１０９）、カーソルが移動した場合は、再度サムネイル表示を行い（Ｓ１１００）、カーソルが移動していない場合は、再度シャッターキーが押されたかの判断を行う（Ｓ１１０８）。
【００６２】
このような本実施の形態１の映像記録再生装置によれば、選択部１０３であるカーソルが液晶ディスプレイ２００に表示されているサムネイル表示部を選択している時は再生モードとし、サムネイル表示部以外の領域を選択している時は記録モードとしたので、カーソルを移動させるだけで再生モードと記録モードとを自動的に切り替えることが可能となり、これにより、ユーザがわざわざモードの切り替え操作をする必要がなくなるため、ユーザの操作性を大幅に向上させることができる。
【００６３】
また、記録動作の開始前に選択されたカーソル位置を、記録する映像データのサムネイル表示位置とし、サムネイル表示順序に応じた再生順序となるようプレイリストを自動的に作成するようにしたので、新規映像データの記録時に該新規映像データのサムネイル表示位置をカーソルにより指定するだけで、ユーザが所望の再生順序を編集することが可能となる。従って、ユーザはプレイリストメニューを表示画面に表示させて視認しながら編集する必要がなくなり、ユーザの操作性・編集作業が簡便な映像データ記録再生装置を提供することができる。
【００６４】
なお、本実施の形態では、映像入力部である映像撮影装置から映像データが入力される際の動作を例に挙げたが、映像入力部から入力されるデータは映像のみだけでなく、映像と音声データの両方を含む映像音声データであってもよい。
【００６５】
また、本実施の形態では、映像データ記録再生装置の一例として、映像撮影装置を具備したデジタルビデオカメラについて説明したが、映像や音声を含む映像音声データを入力可能な入力部であれば、撮影機能を持たない入力部であってもよい。
【００６６】
また、本実施の形態では、ＭＰＥＧストリームを例に説明したが、無論、符号化の形式はＭＰＥＧ形式に限るものではなく、デジタル記録可能な映像データや映像音声データであればよい。
【産業上の利用可能性】
【００６７】
本発明にかかる映像データ記録再生装置は、映像入力部から入力された映像データを記録するに際し、再生順序表示プレイリストを用意し、再生順序表示プレイリストに沿ったサムネイル画像を液晶ディスプレイ上に表示し、表示されたサムネイルの間を指定することにより、任意の位置に記録データを挿入するので、記録した映像データの再生順序を編集するプレイリスト編集機能を持つ装置として有用である。また、液晶ディスプレイにサムネイル画像を表示し、サムネイル画像を選択したときは再生モード、サムネイル画像表示領域以外の領域を選択した場合は記録モードとするため、再生や記録のモード切り替えが不要となり、デジタルカメラやムービーカメラなど再生・記録のモード切り替え機能を持つ装置として有用である。
【図面の簡単な説明】
【００６８】
【図１】本発明の実施の形態１による記録再生装置の構成を示すブロック図である。
【図２】上記実施の形態１の記録再生装置の液晶ディスプレイの表示画面を示す図である。
【図３】上記実施の形態１の記録再生装置における、再生モード時の液晶ディスプレイの表示例を示す図である。
【図４】図４（ａ）は、上記実施の形態１の記録再生装置における、記録モード時の液晶ディスプレイの表示例を示す図であり、図４（ｂ）は、図４（ａ）に示す表示画面を透過表示した様子を示す図である。
【図５】図５（ａ）は、上記実施の形態１の記録再生装置における、記録モード時の液晶ディスプレイの表示例を示し、図５（ｂ）は、そのときのプレイリストの概略構成を示す図である。
【図６】図６（ａ）は、上記実施の形態１の記録再生装置における、記録動作終了後の液晶ディスプレイを示す図、図６（ｂ）は、そのときのプレイリストの概略構成を示す図である。
【図７】図７（ａ）は、上記実施の形態１の記録再生装置における、記録モード時の液晶ディスプレイの表示例を示し、図７（ｂ）は、そのときのプレイリストの概略構成を示す図である。
【図８】図８（ａ）は、上記実施の形態１の記録再生装置における、記録動作終了後の液晶ディスプレイを示す図、図８（ｂ）は、そのときのプレイリストの概略構成を示す図である。
【図９】上記実施の形態１の記録再生装置の動作を表すフローチャート図である。
【図１０】従来のデジタルカメラにおける液晶ディスプレイの状態を表す図である。
【図１１】従来のプレイリスト編集におけるプレイリストメニュー表示を表す図である。
【符号の説明】
【００６９】
１０１  映像入力部
１０２  制御部
１０２Ａ  キー制御部
１０２Ｂ  記録・再生制御部
１０３  選択部
１０４  指示部
１０５  再生部
１０６  バッファ
１０７  記録媒体
２００  液晶ディスプレイ
２０１〜２０９  サムネイル画像
２０１ａ〜２０９ａ  透過表示されたサムネイル画像
Ａ１〜Ａ９  サムネイル表示部
Ｃ１〜Ｃ６  カーソル位置
Ｃ２ａ  透過表示されたカーソル位置
１２００  表示画面
１２０１  メイン画像表示部
１２０２〜１２１３  周辺部
１２１４、１２１５  指標
１３００  表示画面
１３０１〜１３０５  プレイリストメニュー
【図１】
2006180411.tif 000003
【図２】
2006180411.tif 000004
【図３】
2006180411.tif 000005
【図４】
2006180411.tif 000006
【図５】
2006180411.tif 000007
【図６】
2006180411.tif 000008
【図７】
2006180411.tif 000009
【図８】
2006180411.tif 000010
【図９】
2006180411.tif 000011
【図１０】
2006180411.tif 000012
【図１１】
2006180411.tif 000013